(57)【要約】【課題】保存物を簡単な操作で計量・放出することができる簡易な構造の計量機能付き容器を提供する。【解決手段】本容器１は、容器本体２と、計量部６ａ及びこの計量部に連なる開閉可能な放出部６ｂを有する計量部材６と、この計量部材の計量部と容器本体との夫々の内部空間を連絡・遮断する開閉機構８と、を具備して構成される。尚、前記開閉機構が、容器本体とこの容器本体に対して移動自在に設けられる前記計量部材との相対移動によって、夫々の前記内部空間を連絡・遮断し得るように構成されることが好ましい。【選択図】  図２
2005001675.tif 000002
【特許請求の範囲】
【請求項１】
容器本体と、計量部及び該計量部に連なる開閉可能な放出部を有する計量部材と、該計量部材の前記計量部と前記容器本体との夫々の内部空間を連絡・遮断する開閉機構と、を具備することを特徴とする計量機能付き容器。
【請求項２】
前記開閉機構が、前記容器本体と該容器本体に対して移動自在に設けられる前記計量部材との相対移動によって、夫々の前記内部空間を連絡・遮断し得るように構成される請求項１記載の計量機能付き容器。
【請求項３】
前記容器本体の口部に設けられ且つ前記計量部材を移動自在に支持するキャップ部材と、前記計量部材に設けられる中栓部材と、を具備し、前記キャップ部材には、前記容器本体の内部空間に連なる連通孔が形成されると共に、前記中栓部材には、前記計量部材の前記計量部の内部空間に連なる連絡孔が形成され、
前記開閉機構が、前記キャップ部材と前記計量部材との相対移動によって、前記キャップ部材の前記連通孔と前記中栓部材の前記連絡孔とを連絡・遮断させ、夫々の前記内部空間を連絡・遮断し得るように構成される請求項２記載の計量機能付き容器。
【請求項４】
前記キャップ部材が、前記計量部材を回転自在に支持すると共に、前記中栓部材が、前記キャップ部材に対向して配設され、
前記開閉機構が、前記キャップ部材と前記計量部材との相対回転によって、前記キャップ部材の前記連通孔と前記中栓部材の前記連絡孔とを対向・非対向させ、夫々の前記内部空間を連絡・遮断し得るように構成される請求項３記載の計量機能付き容器。
【請求項５】
前記計量部材の移動方向と、夫々の前記内部空間の連絡・遮断状態との相関を示す表記部を具備する請求項２乃至４のいずれか一項に記載の計量機能付き容器。
【請求項６】
前記計量部材が透明材料より形成されている請求項１乃至５のいずれか一項に記載の計量機能付き容器。
【請求項７】
粉末体又は顆粒体を収容する容器である請求項１乃至６のいずれか一項に記載の計量機能付き容器。
【発明の詳細な説明】
【０００１】
【発明の属する技術分野】
本発明は、計量機能付き容器に関し、更に詳しくは、保存物を簡単な操作で計量・放出することができる簡易な構造の計量機能付き容器に関する。
本発明は、特に、粉末洗剤のような粉末状又は顆粒状の保存物の保存容器として好適に利用される。
【０００２】
【従来の技術】
現在市販されている粉末洗剤の多くは、箱等の容器に保存され、使用時に容器のフタを開けて、計量スプーン等の計量器を用いて必要量を量りとる様式のものが多い。また、粉末洗剤に限らず、砂糖、インスタントコーヒー等の粉末状又は顆粒状の保存物を扱う場合もほぼ同じ様式の場合が多い。
しかし、上述の様式では、フタの開閉に伴って容器内に湿気が入りやすく、次第にケーキングなどの凝集を起こしやすくなる。また、作業者の手や容器が濡れていると、保存物が付着して作業性が悪くなることが多い。
そこで、この不具合を解消する容器として、容器本体の口部に計量機能を設けてなる計量機能付き容器が提案されている（例えば、特許文献１及び特許文献２参照。）。
【０００３】
【特許文献１】
特開１０−３５７１２号公報
【特許文献２】
特開２００１−３０１８４９号公報
【０００４】
【発明が解決しようとする課題】
しかし、特許文献１及び特許文献２に記載された計量機能付き容器では、筒状のフタ部材の内部に筒状の計量容器を配設してなる２重筒構造とされているので、計量部分の構造が複雑で作製に要するコストが高くなる。これに加えて、洗浄・乾燥がしにくく、さらに保存物が詰まりやすい。このような洗浄・乾燥の作業性や“詰まり”等の対応を考えると、より単純な構造の計量機能付き容器が望まれていた。
本発明は、上記の状況に鑑みてなされたものであり、保存物を簡単な操作で計量・放出することができる簡易な構造の計量機能付き容器を提供することを目的とする。
【０００５】
【課題を解決するための手段】
本発明は以下の通りである。
１．  容器本体と、計量部及び該計量部に連なる開閉可能な放出部を有する計量部材と、該計量部材の前記計量部と前記容器本体との夫々の内部空間を連絡・遮断する開閉機構と、を具備することを特徴とする計量機能付き容器。
２．  前記開閉機構が、前記容器本体と該容器本体に対して移動自在に設けられる前記計量部材との相対移動によって、夫々の前記内部空間を連絡・遮断し得るように構成される上記１．記載の計量機能付き容器。
３．  前記容器本体の口部に設けられ且つ前記計量部材を移動自在に支持するキャップ部材と、前記計量部材に設けられる中栓部材と、を具備し、前記キャップ部材には、前記容器本体の内部空間に連なる連通孔が形成されると共に、前記中栓部材には、前記計量部材の前記計量部の内部空間に連なる連絡孔が形成され、
前記開閉機構が、前記キャップ部材と前記計量部材との相対移動によって、前記キャップ部材の前記連通孔と前記中栓部材の前記連絡孔とを連絡・遮断させ、夫々の前記内部空間を連絡・遮断し得るように構成される上記２．記載の計量機能付き容器。
４．  前記キャップ部材が、前記計量部材を回転自在に支持すると共に、前記中栓部材が、前記キャップ部材に対向して配設され、
前記開閉機構が、前記キャップ部材と前記計量部材との相対回転によって、前記キャップ部材の前記連通孔と前記中栓部材の前記連絡孔とを対向・非対向させ、夫々の前記内部空間を連絡・遮断し得るように構成される上記３．記載の計量機能付き容器。
５．  前記計量部材の移動方向と、夫々の前記内部空間の連絡・遮断状態との相関を示す表記部を具備する上記２．乃至４．のいずれか一項に記載の計量機能付き容器。
６．  前記計量部材が透明材料より形成されている上記１．乃至５．のいずれか一項に記載の計量機能付き容器。
７．  粉末体又は顆粒体を収容する容器である上記１．乃至６．のいずれか一項に記載の計量機能付き容器。
【０００６】
【発明の効果】
本発明の計量機能付き容器によると、放出部を閉鎖すると共に、容器本体及び計量部の夫々の内部空間を連絡させた状態で、容器を傾ければ、容器本体内から計量部内に所定量の保存物が投入される。その後、容器本体及び計量部の夫々の内部空間を遮断させた状態で、放出部を開放すると所定量の保存物が放出される。このように、保存物を簡単な操作で計量・放出することができる。
さらに、従来のように計量部分を２重筒構造とする必要がなく、全体として簡易かつ安価な構造とすることができる。その結果、洗浄・乾燥も容易となり、メンテナンスや詰め替え等の作業も簡単に行うことができる。
【０００７】
また、前記開閉機構が、前記容器本体と該容器本体に対して移動自在に設けられる前記計量部材との相対移動によって、夫々の前記内部空間を連絡・遮断し得るように構成される場合は、計量部材の移動を利用して開閉機構を構成でき、専用の可動部材を設ける必要がなく、より簡易かつ安価な構造とすることができる。
また、キャップ部材と中栓部材とを具備し、前記開閉機構が、前記キャップ部材と前記計量部材との相対移動によって、前記キャップ部材の前記連通孔と前記中栓部材の前記連絡孔とを連絡・遮断させ、夫々の前記内部空間を連絡・遮断し得るように構成される場合は、保存物のこぼれをより確実に防止することができる。
また、キャップ部材と中栓部材とを具備し、前記開閉機構が、前記キャップ部材と前記計量部材との相対回転によって、前記キャップ部材の前記連通孔と前記中栓部材の前記連絡孔とを対向・非対向させ、夫々の前記内部空間を連絡・遮断し得るように構成される場合は、保存物のこぼれをより確実に防止することができる。
また、前記計量部材の移動方向と、夫々の前記内部空間の連絡・遮断状態との相関を示す表記部を具備する場合は、計量部材の移動方向の誤認を防止できる。
また、前記計量部材が透明材料より形成されている場合は、保存物の計量状態を容易に目視確認できる。
さらに、粉末体又は顆粒体を収容する容器である場合は、粉末体又は顆粒体を簡単な操作で計量・放出することができる。
【０００８】
【発明の実施の形態】
以下、本発明を詳細に説明する。
＜計量機能付き容器＞
本実施形態に係る計量機能付き容器は、以下に述べる容器本体、計量部材、及び開閉機構を具備して基本的に構成される。この計量機能付き容器は、例えば、以下に述べるキャップ部材、及び中栓部材を具備することができる。
【０００９】
上記「容器本体」は、保存物を収容し得る限り、その材質、形状、大きさ等は特に問わない。この容器本体は、収容される保存物の残量を確認できるといった観点から、透明材料から形成されていることが好ましい。また、この容器本体は、通常、保存物を出し入れするために開口する口部を有している。
尚、上記「透明材料」とは、無色又は有色の透明材料を意味する。これは、以下の説明においても同様に適用されるものとする。
【００１０】
上記「計量部材」は、計量部及びこの計量部に連なる開閉可能な放出部を有する限り、その材質、形状、大きさ等は特に問わない。この放出部は、通常、保存物を放出する放出口と、この放出口を開閉するフタ部材とを有している。このフタ部材は、例えば、計量部に着脱自在に取着されていたり、計量部に移動自在に支持されていたりできる。さらに、フタ部材は、例えば、弾性変形部を介して計量部と一体に形成されていることができる。
この計量部材は、例えば、透明材料から形成されていることができる。これにより、保存物の計量状態を容易に目視確認できると共に、閉め忘れ等のご操作を防止することができる。また、この計量部材は、例えば、容器本体に対して着脱自在に取着されることができる。この場合、計量部の大きさ・サイズの異なる複数の計量部材を予め用意して、所望の計量部材と交換し得るようにすれば、異なる量の保存物を計量することができる。
尚、上記「移動自在」としては、例えば、スライド自在、回転自在、旋回自在等を挙げることができる。これは、以下の説明においても同様に適用されるものとする。
【００１１】
上記「キャップ部材」は、容器本体の口部に設けられ且つ計量部材を移動自在に支持し得る限り、その材質、形状、大きさ等は特に問わない。このキャップ部材には、容器本体の内部空間に連なる連通孔が形成されている。この連通孔は、通常、容器本体の口部より狭い開口面域を有している。保存物の詰替え時の作業性といった観点から、キャップ部材が、容器本体の口部に着脱自在に取着されることが好ましい。また、このキャップ部材は、例えば、上記連絡孔が形成され且つ容器本体の口部の開口を覆う覆い部と、この覆い部の外周縁から下方に向って延び且つ容器本体の口部の外周に嵌合する筒状部と、この筒状部の内周面に形成され且つ口部の外周面に形成された雄ネジに螺合する雌ネジと、を有することができる。これにより、容器本体にキャップ部材を容易に着脱することができる。
また、このキャップ部材は、例えば、計量部材の移動方向と、容器本体及び計量部の夫々の内部空間の連絡・遮断状態との相関を示す表記部を有することができる。この表記部は、例えば、表面より所定肉厚で突起形成されることができる。視認性の観点から、この表記部にシボ加工が施されることが好ましい。
【００１２】
上記「中栓部材」は、計量部材に設けられ且つキャップ部材に対向し得る限り、その材質、形状、大きさ等は特に問わない。この中栓部材には、計量部材の内部空間に連なる連絡孔が形成されている。計量部材への装着性といった観点から、この中栓部材が弾性材料（例えば、オレフィン系エラストマー等）より形成されることが好ましい。また、この中栓部材は、例えば、上記連絡孔が形成され且つ計量部材の下部開口を覆う覆い部と、この覆い部の外周側に設けられ且つ計量部の下部開口の外周側に形成された取着部に取着される被取着部と、を有することができる。これにより、計量部材に中栓部材を強固に取着することができる。
尚、上記キャップ部材及び／又は上記中栓部材は、例えば、不透明材料より形成されることができる。これにより、上述の透明な計量部材を介して、連通孔及び連絡孔の連絡・遮断状態を容易に目視確認することができる。
【００１３】
上記「開閉機構」は、容器本体の内部空間と計量部の内部空間とを連絡・遮断し得る限り、その構造、作動形態等は特に問わない。この開閉機構は、例えば、夫々の内部空間を連絡・遮断するための専用の可動部材を有することができる。より簡易かつ安価な構造にできるといった観点から、この開閉機構が、容器本体に対して計量部材を移動自在に設け、この容器本体と計量部材との相対移動によって、容器本体と計量部との夫々の内部空間を連絡・遮断し得るように構成されることが好ましい。
【００１４】
また、この開閉機構は、例えば、上記キャップ部材と上記計量部材との相対移動によって、キャップ部材の連通孔と中栓部材の連絡孔とを連絡・遮断させ、容器本体と計量部との夫々の内部空間を連絡・遮断し得るように構成されることができる。これにより、保存物のこぼれをより確実に防止することができる。
さらに、この開閉機構が、上記キャップ部材と上記計量部材との相対回転によって、キャップ部材の連通孔と中栓部材の連絡孔とを対向・非対向させ、容器本体と計量部との夫々の内部空間を連絡・遮断し得るように構成されることが好ましい。この場合、この開閉機構は、例えば、キャップ部材の筒状部の外周面に形成された係合部と、計量部材の筒部の内周面に形成された被係合部との係合によって、キャップ部材と計量部材とが所定の角度間隔で相対回転されるように構成されることができる。
【００１５】
尚、上記計量機能付き容器は、例えば、洗剤、砂糖、インスタントコーヒー、粉乳等の粉末体又は顆粒体の保存・計量・放出に効果的に使用されるが、特に、粉末洗剤の保存・計量・放出に適している。さらに言えば、食器洗い機用洗剤の保存・計量・放出に適している。
【００１６】
【実施例】
以下、図面を参照して実施例により本発明を具体的に説明する。
（１）計量機能付き容器の構成
本実施例に係る計量機能付き容器１（以下、単に容器１とも略記する。）は、図１に示すように、保存物（例えば、粉末洗剤等）を収容する合成樹脂製の容器本体２と、この容器本体２の段差状の口部２ａに設けられる計量器３と、を備えて構成される。この計量器３は、図２に示すように、合成樹脂製のキャップ部材５、透明な合成樹脂製の計量部材６、合成ゴム製の中栓部材７、及び開閉機構８を備えて構成される。
【００１７】
上記キャップ部材５は、口部２ａの開口を覆う円盤状の覆い部５ａと、この覆い部５ａの外周縁から下方に向って延び且つ口部２ａの外周に嵌合する筒状部５ｂとを有している。この覆い部５ａには、計量部材６の回転軸心Ｃから外れた位置に、容器本体２の内部空間と連なる連通孔１２が形成されている。また、この筒状部５ｂの内周面には、口部２ａの外周に形成された雄ネジ１０と螺合する雌ネジ１１が形成されている。さらに、この筒状部５ｂの外周面には、上記計量部材６の回転方向を示す矢印と、この矢印の両端側に設けられる「でる」「しまる」の表記とからなる表記部５ｃ（図１参照）が形成されている。この表記部５ｃは、筒状部５ｂの外周面の表面から所定の肉厚で突起形成されると共に、シボ加工が施され、視認性を向上させている。
【００１８】
上記計量部材６は、所定量の保存物を計量するための逆椀状の計量部６ａと、この計量部６ａの上端部に連なる放出部６ｂと、この計量部６ａの下部開口の外周側に形成された取着部６ｃと、この取着部６ｃの外周縁から下方に向って延び且つキャップ部材５の筒状部５ｂの外周に嵌合する筒部６ｄとを有している。この放出部６ｂは、保存物を放出する放出口１４と、この放出口１４を開閉する合成樹脂製のフタ部材１５とから成る。このフタ部材１５は、放出口１４を塞ぐ塞ぎ部１５ａと、この塞ぎ部１５ａの外周から側方へ延びるつば部１５ｂと、この塞ぎ部１５ａの下面に形成されたリング部１５ｃとを有している。このリング部１５ｃが弾性変形を伴って計量部６ａの上端縁に着脱自在に取着されている。
【００１９】
上記中栓部材７は、キャップ部材５の覆い部５ａと対向し且つ計量部材６の下部開口を覆う円盤状の覆い部７ａと、この覆い部７ａの上面側に設けられ且つ計量部材６の取着部６ｃに取着される被取着部７ｂとを有している。この覆い部７ａには、計量部材６の回転軸心Ｃから外れた位置に、計量部６ａの内部空間と連なる連絡孔１６が形成されている。この連絡孔１６は、キャップ部材５の連通孔１２と同じ形状・サイズで形成されている。
【００２０】
上記開閉機構８は、キャップ部材５の筒状部５ｂの外周面に形成された係合部１８と、計量部材６の筒部６ｄの内周側に形成された被係合部１９との係合によって、キャップ部材５と計量部材６とを所定の角度間隔（例えば、９０度間隔）で相対回転させ得るように構成されている。即ち、図３に示すように、容器本体２に対して計量部材６が、連絡位置Ａと遮断位置Ｂとの間で変位するようになっている。ここで、計量部材６が連絡位置Ａに位置する場合には、図３（ａ）に示すように、キャップ部材５の連通孔１２と中栓部材７の連絡孔１６とが対向して、容器本体２及び計量部６ａの夫々の内部空間が連絡された状態となる。また、計量部材６が遮断位置Ｂに位置する場合には、図３（ｂ）に示すように、キャップ部材５の連通孔１２と中栓部材７の連絡孔１６とが対向せずに、容器本体２及び計量部６ａの夫々の内部空間が遮断された状態となる。
【００２１】
（２）計量機能付き容器の作用
次に、上記構成の容器１の作用について説明する。
初期状態として、フタ部材１５が計量部６ａに装着されて放出口１４が閉鎖されていると共に、計量部材６が遮断位置Ｂに位置しているものとする。そして、保存物を計量・放出する際には、先ず、計量部材６の筒部６ｄの外周面に形成された摘み部２０（図１参照）を摘んで、計量部材６を、表記部５ｃの「でる」の矢印方向に回転させて連絡位置Ａに位置させる。すると、キャップ部材５の連通孔１２と中栓部材７の連絡孔１６とが対向され、容器本体２及び計量部６ａの夫々の内部空間が連絡された状態となる｛図３（ａ）参照｝。その状態より、図４に示すように、容器１を傾けると、連通孔１２及連絡孔１６を介して、容器本体２内に収容されている保存物が計量部６ａ内に投入・充填され、所定量の保存物が計量されることとなる。
【００２２】
その後、計量部材６の摘み部２０を摘んで、計量部材６を、表記部５ｃの「しまる」の矢印方向に回転させて遮断位置Ｂに位置させる。すると、キャップ部材５の連通孔１２と中栓部材７の連絡孔１６とが非対向となって容器本体２及び計量部６ａの夫々の内部空間が遮断された状態となる｛図３（ｂ）参照｝。次に、図５に示すように、計量部６ａからフタ部材１５を取外して放出口１４を開放状態とすると、計量部６ａで計量された所定量の保存物が放出口１４から外部に放出されることとなる。
尚、計量の必要がない場合には、計量部６ａからフタ部材１５を取外し、計量部材６を、表記部５ｃの「でる」の矢印方向に回転させて連絡位置Ａに位置させ、容器１を傾斜させれば、目分量で必要な量だけ放出することができる。
【００２３】
また、容器１を洗浄する際には、容器本体２から計量器３を取外した状態で、その容器１及び計量器３を、保存物をよく溶かす溶媒（例えば、水等）に浸漬させ、攪拌や超音波等の方法により洗い落とすか、あるいは洗い流すことができる。また、落としにくい汚れは、計量部６ａからフタ部材１５を取外した状態で、その計量器３を、洗浄具（例えば、小型ブラシ等）でこすって汚れを落とすこともできる。さらに、容器１を乾燥する際には、計量部６ａからフタ部材１５を取外したままにしておくと、自然乾燥あるいは温風乾燥などにより容易に乾燥させることができる。
【００２４】
（３）実施例の効果
本実施例の計量機能付き容器１では、計量部材６に計量部６ａ及び開閉可能な放出部６ｂを設け、この計量部材６をキャップ部材５に回転自在に支持し、両部材５，６の相対回転によってキャップ部材５の連通孔１２と中栓部材７の連絡孔１６とを対向・非対向させ、容器本体２及び計量部６ａの夫々の内部空間を連絡・遮断するようにしたので、容器本体２に対する計量部材６の回転操作、計量部６ａに対するフタ部材１５の着脱操作、及び容器１の傾斜操作を組み合わせてなる極めて簡易な操作によって、所定量の保存物を確実かつ迅速に計量・放出することができる。また、従来のように、容器本体と計量部とが常時連絡されているものに比べ、湿気の影響を受けにくい。さらに、従来のように、計量部分を二重筒構造とする必要がなく、全体として簡易かつ安価な構造とすることができる。その結果、洗浄・乾燥も容易となり、メンテナンスや詰め替え等の作業も極めて簡単に行うことができる。
【００２５】
また、本実施例では、キャップ部材５に、計量部材６の回転方向と、連絡・解除状態との相関を示す表記部５ｃを形成したので、計量部材６の回転方向の誤認を防止できる。また、計量部材６を透明な合成樹脂より形成したので、保存物の計量状態を容易に目視確認できる。さらに、中栓部材７を合成ゴムより形成したので、計量部材６に対する中栓部材７のフィット感を高め、保存物のこぼれをより確実に防止することができる。
【００２６】
尚、本発明では上記の実施例に限られず、目的、用途等によって本発明の範囲内において種々変更した実施例とすることができる。即ち、上記実施例では、キャップ部材５と計量部材６との相対回転によって、容器本体２及び計量部６ａの夫々の内部空間を連絡・遮断するようにしたが、これに限定されず、例えば、キャップ部材５及び計量部材６の相対的なスライド移動や旋回移動によって、容器本体２及び計量部６ａの夫々の内部空間を連絡・遮断するようにしてもよい。
さらに、上記実施例では、保存物として粉末洗剤を例示したが、これに限定されず、その他の各種粉末体、顆粒体、液状体等を保存するようにしてもよい。
【図面の簡単な説明】
【図１】実施例に係る計量機能付き容器の外観を示す斜視図である。
【図２】計量機能付き容器の要部縦断面図である。
【図３】図２のＩＩＩ−ＩＩＩ線断面図であり、（ａ）は容器本体及び計量部の連絡状態を示し、（ｂ）は容器本体及び計量部の遮断状態を示す。
【図４】保存物の計量作用を説明するための説明図である。
【図５】保存物の放出作用を説明するための説明図である。
【符号の説明】
１；計量機能付き容器、２；容器本体、２ａ；口部、５；キャップ部材、５ｃ；表記部、６；計量部材、６ａ；計量部、６ｂ；放出部、７；中栓部材、８；開閉機構、１２；連通孔、１６；連絡孔。
【図１】
2005001675.tif 000003
【図２】
2005001675.tif 000004
【図３】
2005001675.tif 000005
【図４】
2005001675.tif 000006
【図５】
2005001675.tif 000007